(57)【要約】【課題】ヒートポンプ給湯機において、蓄熱手段から水への熱の移動を円滑に行う。【解決手段】ヒートポンプ給湯機（１）は、ヒートポンプ式の冷媒回路（３）及び給湯用回路（５）を備えている。冷媒回路（３）には、冷媒の循環方向において、膨張弁（７）、室外熱交換器（９）、圧縮機（１１）、水熱交換器（１３）、及び蓄熱ユニット（１５）が順に配置されている。給湯用回路（５）はその始端が上水道に接続され、その終端が給水栓に接続されている。給湯用回路（５）には、水道水の循環方向において、蓄熱ユニット（１５）、及び水熱交換器（１３）が順に配置されている。冷媒回路（３）には蓄熱ユニット（１５）をバイパスするバイパス通路（４）が設けられている。給湯運転時には、冷媒をバイパス通路（４）に流通させる。【選択図】  図１
2004239507.tif 000002
【特許請求の範囲】
【請求項１】
温熱を蓄える蓄熱手段（１５）と、
圧縮機（１１）、凝縮器（１３）、上記蓄熱手段（１５）を加熱する加熱熱交換器（１５ａ）、膨張機構（７）、及び蒸発器（９）を有する冷媒回路（３）と、
該冷媒回路（３）に設けられ、上記加熱熱交換器（１５ａ）をバイパスするバイパス通路（４）と、
上記凝縮器（１３）及び上記蓄熱手段（１５）の温熱を利用して温水を供給する水回路（５）とを備え、
冷媒を上記バイパス通路（４）に流通させ、且つ、水を上記水回路（５）に流通させることにより、上記凝縮器（１３）及び上記蓄熱手段（１５）で水を加熱する給湯運転と、
冷媒を上記バイパス通路（４）に流通させず、且つ、水を上記水回路（５）に流通させないことにより、上記加熱熱交換器（１５ａ）で上記蓄熱手段（１５）を加熱する蓄熱運転とを行うヒートポンプ給湯機。
【請求項２】
請求項１記載のヒートポンプ給湯機であって、
冷媒回路（３）は、上記凝縮器として第１及び第２凝縮器（１３，１７）を有し、
水回路（５）は、上記蓄熱手段（１５）に設けられた第１熱回収熱交換器（１５ｂ）、上記第１凝縮器（１３）に設けられた第２熱回収熱交換器（１３ｂ）、及び上記第２凝縮器（１７）に設けられた第３熱回収熱交換器（１７ｂ）を有し、
水回路（５）において、上流側から上記第３熱回収熱交換器（１７ｂ）、上記第１熱回収熱交換器（１５ｂ）、及び上記第２熱回収熱交換器（１３ｂ）の順に設けられているヒートポンプ給湯機。
【請求項３】
圧縮機（１１ａ，１１ｂ）、凝縮器（１９，２５）、膨張機構（７ａ，７ｂ）、及び蒸発器（９ａ，９ｂ）をそれぞれ有する第１及び第２冷媒回路（３ａ，３ｂ）と、
水を流通させる水回路（５）とを備え、
第１及び第２冷媒回路（３ａ，３ｂ）の少なくとも一方は、温熱を蓄える蓄熱手段（２１）と、該蓄熱手段（２１）を加熱する加熱熱交換器（２１ａ）と、該加熱熱交換器（２１ａ）をバイパスするバイパス通路（４ａ，４ｂ）とを更に有し、
水回路（５）は、上記凝縮器（１９，２５）及び上記蓄熱手段（２１）の温熱を利用して温水を供給し、
冷媒を上記バイパス通路（４ａ）に流通させ、且つ、水を上記水回路（５）に流通させることにより、上記凝縮器（１９，２５）及び上記蓄熱手段（２１）で水を加熱する給湯運転と、
冷媒を上記バイパス通路（４ａ）に流通させず、且つ、水を上記水回路（５）に流通させないことにより、上記加熱熱交換器（１５ａ）で上記蓄熱手段（１５）を加熱する蓄熱運転とを行うヒートポンプ給湯機。
【請求項４】
請求項３記載のヒートポンプ給湯機であって、
第２冷媒回路（３ｂ）の冷媒の凝縮温度が、第１冷媒回路（３ａ）の冷媒の凝縮温度より低く設定されているヒートポンプ給湯機。
【請求項５】
第１融点を有する第１潜熱蓄熱材を備えている第１蓄熱手段（２１）と、
上記第１融点より低温の第２融点を有する第２潜熱蓄熱材を備えている第２蓄熱手段（２３）と、
圧縮機（１１ａ）、凝縮器（１９）、上記第１蓄熱手段（２１）を加熱する加熱熱交換器（２１ａ）、膨張機構（７ａ）、及び蒸発器（９ａ）を有する第１冷媒回路（３ａ）と、
圧縮機（１１ｂ）、凝縮器（２５）、上記第２蓄熱手段（２３）を加熱する加熱熱交換器（２３ａ）、膨張機構（７ｂ）、及び蒸発器（９ｂ）を有する第２冷媒回路（３ｂ）と、
上記凝縮器（１９，２５）及び上記蓄熱手段（２１，２３）の温熱を利用して温水を供給する水回路（５）とを備え、
第２冷媒回路（３ｂ）の冷媒の凝縮温度が、第１冷媒回路（３ａ）の冷媒の凝縮温度より低く設定され、
上記第１及び第２冷媒回路（３ａ，３ｂ）の少なくとも一方には、上記加熱熱交換器（２３ａ）をバイパスするバイパス通路（４ｂ）が設けられ、
冷媒を上記バイパス通路（４ｂ）に流通させ、且つ、水を上記水回路（５）に流通させることにより、上記凝縮器（１９，２５）及び上記蓄熱手段（２１，２３）で水を加熱する給湯運転と、
冷媒を上記バイパス通路（４ｂ）に流通させず、且つ、水を上記水回路（５）に流通させないことにより、上記加熱熱交換器（２１ａ，２３ａ）で上記蓄熱手段（２１，２３）を加熱する蓄熱運転とを行うヒートポンプ給湯機。
【請求項６】
請求項５記載のヒートポンプ給湯機であって、
水回路（５）は、上記第１蓄熱手段（２１）に設けられた第１熱回収熱交換器（２１ｂ）と、上記第２蓄熱手段（２３）に設けられた第２熱回収熱交換器（２３ｂ）とを有し、
水回路（５）において、上記第１熱回収熱交換器（２１ｂ）は上記第２熱回収熱交換器（２３ｂ）の下流側に設けられているヒートポンプ給湯機。
【請求項７】
第１潜熱蓄熱材を有する第１蓄熱手段（２１）と、
上記第１潜熱蓄熱材と同じ融点を有する第２潜熱蓄熱材を備えている第２蓄熱手段（２３）と、
圧縮機（１１ａ）、凝縮器（１９）、上記第１蓄熱手段（２１）を加熱する加熱熱交換器（２１ａ）、膨張機構（７ａ）、及び蒸発器（９ａ）を有する第１冷媒回路（３ａ）と、
圧縮機（１１ｂ）、凝縮器（２５）、上記第２蓄熱手段（２３）を加熱する加熱熱交換器（２３ａ）、膨張機構（７ｂ）、及び蒸発器（９ｂ）を有する第２冷媒回路（３ｂ）と、
上記凝縮器（１９，２５）及び上記蓄熱手段（２１，２３）の温熱を利用して温水を供給する水回路（５）とを備え、
上記第１及び第２冷媒回路（３ａ，３ｂ）の少なくとも一方には、上記加熱熱交換器（２３ａ）をバイパスするバイパス通路（４ｂ）が設けられ、
冷媒を上記バイパス通路（４ｂ）に流通させ、且つ、水を上記水回路（５）に流通させることにより、上記凝縮器（１９，２５）及び上記蓄熱手段（２１，２３）で水を加熱する給湯運転と、
冷媒を上記バイパス通路（４ｂ）に流通させず、且つ、水を上記水回路（５）に流通させないことにより、上記加熱熱交換器（２１ａ，２３ａ）で上記蓄熱手段（２１，２３）を加熱する蓄熱運転とを行うヒートポンプ給湯機。
【請求項８】
請求項５又は７記載のヒートポンプ給湯機であって、
水回路（５）は、第１分岐通路（５ａ）と第２分岐通路（５ｂ）とを有する並列回路を備え、
第１分岐通路（５ａ）は上記第１蓄熱手段（２１）に設けられた第１熱回収熱交換器（２１ｂ）を有し、
第２分岐通路（５ｂ）は上記第２蓄熱手段（２３）に設けられた第２熱回収熱交換器（２３ｂ）を有しているヒートポンプ給湯機。
【発明の詳細な説明】
【０００１】
【発明の属する技術分野】
本発明は、ヒートポンプ給湯機に関する。
【０００２】
【従来の技術】
従来より、ヒートポンプ給湯機が知られている（例えば、特許文献１及び２参照）。
【０００３】
ヒートポンプ給湯機は、ヒートポンプ式の冷媒回路及び水回路を備えている。
【０００４】
冷媒回路には、膨張弁、室外熱交換器、圧縮機、水熱交換器、及び蓄熱器が順に配置されている。
【０００５】
水回路はその始端が上水道に接続され、その終端が蛇口に接続されている。水回路には、蓄熱器、及び水熱交換器が配置されている。
【０００６】
水熱交換器には、冷媒回路の一部である冷媒用配管と、水回路の一部である第１給湯用配管とが設けられている。そして、冷媒用配管を流通する冷媒と第１給湯用配管を流通する水道水とが熱交換を行うことにより、水道水が加熱される。
【０００７】
蓄熱器には蓄熱材が充填されるとともに、冷媒回路の一部である蓄熱用配管と、水回路の一部である第２給湯用配管とが設けられている。そして、蓄熱材と蓄熱用配管を流通する冷媒とが熱交換を行うことにより、蓄熱材に温熱が蓄えられる。また、蓄熱材と第２給湯用配管を流通する水道水とが熱交換を行うことにより、水道水が加熱される。
【０００８】
給湯を行うときには、蛇口を開き、圧縮機を起動する。それにより、給水が開始され、ヒートポンプ（ＨＰ）が起動する。
【０００９】
ここで、ヒートポンプ起動直後は冷媒の温度が低いため、冷媒とともに、蓄熱器に蓄えられた温熱により水道水は加熱される。また、蓄熱器は給湯中に冷媒から吸熱して温熱を蓄える。
【００１０】
給湯を終了するときには、蛇口を閉じ、圧縮機を停止する。それにより、給水が停止され、ヒートポンプが停止する。
【００１１】
【特許文献１】
特開平２−１９７７６１号公報
【特許文献２】
特開平２−２２３７６８号公報
【００１２】
【発明が解決しようとする課題】
しかし、このヒートポンプ給湯機では、冷媒の凝縮温度が蓄熱材の温度より高いため、蓄熱用配管で発生した凝縮熱によって蓄熱材から水道水への熱の移動が妨げられる。そのため、従来のヒートポンプ給湯機では、蓄熱材に蓄えられた温熱を有効に利用することができなかった。
【００１３】
本発明は、かかる点に鑑みてなされたものであり、その目的とするところは、ヒートポンプ給湯機において、蓄熱手段から水への熱の移動を円滑に行うことにある。
【００１４】
【課題を解決するための手段】
請求項１の発明は、温熱を蓄える蓄熱手段と、圧縮機、凝縮器、上記蓄熱手段を加熱する加熱熱交換器、膨張機構、及び蒸発器を有する冷媒回路と、該冷媒回路に設けられ、上記加熱熱交換器をバイパスするバイパス通路と、上記凝縮器及び上記蓄熱手段の温熱を利用して温水を供給する水回路とを備え、冷媒を上記バイパス通路に流通させ、且つ、水を上記水回路に流通させることにより、上記凝縮器及び上記蓄熱手段で水を加熱する給湯運転と、冷媒を上記バイパス通路に流通させず、且つ、水を上記水回路に流通させないことにより、上記加熱熱交換器で上記蓄熱手段を加熱する蓄熱運転とを行うヒートポンプ給湯機である。
【００１５】
これにより、給湯運転時には冷媒をバイパス通路に流通させるため、給湯運転時には冷媒は加熱熱交換器を流通しない。そのため、給湯運転時には加熱熱交換器で冷媒が凝縮しないため、加熱熱交換器において凝縮熱は発生しない。よって、蓄熱手段から水への熱の移動が、上記凝縮熱により妨げられることはない。したがって、給湯運転時において、蓄熱手段から水への熱の移動を円滑に行うことができる。
【００１６】
請求項２の発明は更に、冷媒回路が、上記凝縮器として第１及び第２凝縮器を有し、水回路が、上記蓄熱手段に設けられた第１熱回収熱交換器、上記第１凝縮器に設けられた第２熱回収熱交換器、及び上記第２凝縮器に設けられた第３熱回収熱交換器を有し、水回路において、上流側から上記第３熱回収熱交換器、上記第１熱回収熱交換器、及び上記第２熱回収熱交換器の順に設けられているものである。
【００１７】
これにより、水回路において、上流側から第２凝縮器の第３熱回収熱交換器、蓄熱手段の第１熱回収熱交換器、及び第１凝縮器の第２熱回収熱交換器の順に設けられているため、給湯運転時において、水は第２凝縮器、蓄熱手段、第１凝縮器の順に加熱される。すなわち、第２凝縮器に流入する水の温度は、蓄熱手段及び第１凝縮器に流入する水の温度より低い。そのため、水が第２凝縮器を流通することにより、第２凝縮器を流通する冷媒は過冷却される。したがって、ヒートポンプ給湯機のＣＯＰが向上する。
【００１８】
請求項３の発明は、圧縮機、凝縮器、膨張機構、及び蒸発器をそれぞれ有する第１及び第２冷媒回路と、水を流通させる水回路とを備え、第１及び第２冷媒回路の少なくとも一方は、温熱を蓄える蓄熱手段と、該蓄熱手段を加熱する加熱熱交換器と、該加熱熱交換器をバイパスするバイパス通路とを更に有し、水回路が、上記凝縮器及び上記蓄熱手段の温熱を利用して温水を供給し、第２冷媒回路の冷媒の凝縮温度が、第１冷媒回路の冷媒の凝縮温度より低く設定され、冷媒を上記バイパス通路に流通させ、且つ、水を上記水回路に流通させることにより、上記凝縮器及び上記蓄熱手段で水を加熱する給湯運転と、冷媒を上記バイパス通路に流通させず、且つ、水を上記水回路に流通させないことにより、上記加熱熱交換器で上記蓄熱手段を加熱する蓄熱運転とを行うヒートポンプ給湯機である。
【００１９】
これにより、給湯運転時には冷媒をバイパス通路に流通させるため、給湯運転時には冷媒は加熱熱交換器を流通しない。そのため、給湯運転時には加熱熱交換器で冷媒が凝縮しないため、加熱熱交換器において凝縮熱は発生しない。よって、蓄熱手段から水への熱の移動が、上記凝縮熱により妨げられることはない。したがって、給湯運転時において、蓄熱手段から水への熱の移動を円滑に行うことができる。
【００２０】
また、ヒートポンプ給湯器が第１及び第２冷媒回路を有しているため、単一の冷媒回路を有しているヒートポンプ給湯機と比較して、立ち上げ時に高温の湯をユーザーに対して迅速に提供することができる。
【００２１】
請求項４の発明は更に、第２冷媒回路の冷媒の凝縮温度が、第１冷媒回路の冷媒の凝縮温度より低く設定されているものである。
【００２２】
これにより、第２冷媒回路の冷媒の凝縮温度が第１冷媒回路の冷媒の凝縮温度より低く設定されているため、第２冷媒回路のＣＯＰが向上する。したがって、ヒートポンプ給湯機全体の平均のＣＯＰはヒートポンプ給湯機が単一の冷媒回路で形成されている場合に比べて高くなる。
【００２３】
請求項５の発明は、第１融点を有する第１潜熱蓄熱材を備えている第１蓄熱手段と、上記第１融点より低温の第２融点を有する第２潜熱蓄熱材を備えている第２蓄熱手段と、圧縮機、凝縮器、上記第１蓄熱手段を加熱する加熱熱交換器、膨張機構、及び蒸発器を有する第１冷媒回路と、圧縮機、凝縮器、上記第２蓄熱手段を加熱する加熱熱交換器、膨張機構、及び蒸発器を有する第２冷媒回路と、上記凝縮器及び上記蓄熱手段の温熱を利用して温水を供給する水回路とを備え、第２冷媒回路の冷媒の凝縮温度が、第１冷媒回路の冷媒の凝縮温度より低く設定され、上記第１及び第２冷媒回路の少なくとも一方には、上記加熱熱交換器をバイパスするバイパス通路が設けられ、冷媒を上記バイパス通路に流通させ、且つ、水を上記水回路に流通させることにより、上記凝縮器及び上記蓄熱手段で水を加熱する給湯運転と、冷媒を上記バイパス通路に流通させず、且つ、水を上記水回路に流通させないことにより、上記加熱熱交換器で上記蓄熱手段を加熱する蓄熱運転とを行うヒートポンプ給湯機である。
【００２４】
これにより、給湯運転時には冷媒をバイパス通路に流通させるため、給湯運転時には、バイパス通路が設けられた冷媒回路の冷媒は加熱熱交換器を流通しない。そのため、給湯運転時には加熱熱交換器で冷媒が凝縮しないため、加熱熱交換器において凝縮熱は発生しない。よって、蓄熱手段から水への熱の移動が、上記凝縮熱により妨げられることはない。したがって、給湯運転時において、蓄熱手段から水への熱の移動を円滑に行うことができる。
【００２５】
また、第２冷媒回路の冷媒の凝縮温度が第１冷媒回路の冷媒の凝縮温度より低く設定されているため、第２冷媒回路のＣＯＰが向上する。したがって、ヒートポンプ給湯機全体の平均のＣＯＰはヒートポンプ給湯機が単一の冷媒回路で形成されている場合に比べて高くなる。
【００２６】
請求項６の発明は更に、水回路が、上記第１蓄熱手段に設けられた第１熱回収熱交換器と、上記第２蓄熱手段に設けられた第２熱回収熱交換器とを有し、水回路において、上記第１熱回収熱交換器は上記第２熱回収熱交換器の下流側に設けられているものである。
【００２７】
これにより、水は第２熱回収熱交換器、第１熱回収熱交換器の順に流れる。ここで、第１蓄熱手段の第１潜熱蓄熱材の融点は、第２蓄熱手段の第２潜熱蓄熱材の融点より高い。そのため、水は、加熱温度が高くなる順に加熱されることになる。したがって、水と各蓄熱手段との間の熱交換を効率良く行うことができる。
【００２８】
請求項７の発明は、第１潜熱蓄熱材を有する第１蓄熱手段と、上記第１潜熱蓄熱材と同じ融点を有する第２潜熱蓄熱材を備えている第２蓄熱手段と、圧縮機、凝縮器、上記第１蓄熱手段を加熱する加熱熱交換器、膨張機構、及び蒸発器を有する第１冷媒回路と、圧縮機、凝縮器、上記第２蓄熱手段を加熱する加熱熱交換器、膨張機構、及び蒸発器を有する第２冷媒回路と、上記凝縮器及び上記蓄熱手段の温熱を利用して温水を供給する水回路とを備え、上記第１及び第２冷媒回路の少なくとも一方には、上記加熱熱交換器をバイパスするバイパス通路が設けられ、冷媒を上記バイパス通路に流通させ、且つ、水を上記水回路に流通させることにより、上記凝縮器及び上記蓄熱手段で水を加熱する給湯運転と、冷媒を上記バイパス通路に流通させず、且つ、水を上記水回路に流通させないことにより、上記加熱熱交換器で上記蓄熱手段を加熱する蓄熱運転とを行うヒートポンプ給湯機である。
【００２９】
これにより、給湯運転時には冷媒をバイパス通路に流通させるため、給湯運転時には、バイパス通路が設けられた冷媒回路の冷媒は加熱熱交換器を流通しない。そのため、給湯運転時には加熱熱交換器で冷媒が凝縮しないため、加熱熱交換器において凝縮熱は発生しない。よって、蓄熱手段から水への熱の移動が、上記凝縮熱により妨げられることはない。したがって、給湯運転時において、蓄熱手段から水への熱の移動を円滑に行うことができる。
【００３０】
また、給湯運転時には冷媒をバイパス通路に流通させるため、給湯運転時には、バイパス通路が設けられた冷媒回路の冷媒は、ある程度高温の温熱が蓄えられた蓄熱手段を流通しない。そのため、バイパス通路が設けられた冷媒回路の冷媒の凝縮温度が下がる。したがって、ヒートポンプ給湯機のＣＯＰが向上する。
【００３１】
請求項８の発明は更に、水回路が、第１分岐通路と第２分岐通路とを有する並列回路を備え、第１分岐通路が上記第１蓄熱手段に設けられた第１熱回収熱交換器を有し、第２分岐通路が上記第２蓄熱手段に設けられた第２熱回収熱交換器を有しているものである。
【００３２】
これにより、水回路が第１分岐通路と第２分岐通路とに分岐しているため、第１及び第２熱回収熱交換器のそれぞれに流通する水の量は、水回路に流通する水の量より小さくなる。そのため、第１及び第２蓄熱手段から第１及び第２熱回収熱交換器に流通する水への熱の移動量が大きくなる。したがって、給湯運転時において、蓄熱手段から水への熱の移動を更に円滑に行うことができる。
【００３３】
【発明の実施の形態】
以下、本発明の実施形態を図面に基づいて詳細に説明する。
【００３４】
（実施形態１）
図１に示すように、本実施形態のヒートポンプ給湯機（１）は、ヒートポンプ式の冷媒回路（３）及び水回路としての給湯用回路（５）を備えている。
【００３５】
冷媒回路（３）は蒸気圧縮冷凍サイクルを行うものであり、回路（３）内にはＨＦＣ系又はＨＣ系の冷媒が充填されている。冷媒の凝縮温度は、例えば、約６０℃である。
【００３６】
冷媒回路（３）には、冷媒の循環方向において、膨張弁（７）、蒸発器としての室外熱交換器（９）、アキュムレータ（１２）、圧縮機（１１）、蓄熱手段としての蓄熱ユニット（１５）、及び凝縮器としての水熱交換器（１３）が順に配置されている。
【００３７】
冷媒回路（３）には、蓄熱ユニット（１５）をバイパスするバイパス通路（４）が設けられている。バイパス通路（４）は、冷媒回路（３）における圧縮機（１１）及び蓄熱ユニット（１５）の間に位置する分岐点（６）と、冷媒回路（３）における蓄熱ユニット（１５）及び水熱交換器（１３）の間に位置する合流点（８）とに接続されている。
【００３８】
この分岐点（６）には三方弁（１０）が設けられている。三方弁（１０）は、冷媒の流通先を蓄熱ユニット（１５）又はバイパス通路（４）に切換自在に構成た切換装置である。言い換えれば、三方弁（１０）を切り換えることにより、冷媒を蓄熱ユニット（１５）又はバイパス通路（４）を流通させることができる。
【００３９】
給湯用回路（５）はその始端が上水道（図示せず）に接続され、その終端が給水栓（図示せず）に接続されている。給湯用回路（５）には、水道水の循環方向において、水熱交換器（１３）、及び蓄熱ユニット（１５）が順に配置されている。
【００４０】
膨張弁（７）は、主に冷媒回路（３）の冷媒を減圧し、体積増加させるものである。膨張弁（７）は、冷媒回路（３）の冷媒の流量を調整する機能も有する。
【００４１】
室外熱交換器（９）は、いわゆるクロスフィン型のフィン・アンド・チューブ熱交換器で構成されている。この室外熱交換器（９）は、冷媒回路（３）の冷媒を室外空気と熱交換させる。
【００４２】
圧縮機（１１）は、冷媒回路（３）の冷媒を圧縮するものである。
【００４３】
蓄熱ユニット（１５）には蓄熱材が充填され、冷媒回路（３）の一部である蓄熱用伝熱管（１５ａ）と給湯用回路（５）の一部である第２給湯用伝熱管（１５ｂ）とが設けられている。なお、本発明に係る加熱熱交換器は蓄熱用伝熱管（１５ａ）によって構成されている。
【００４４】
蓄熱材は潜熱蓄熱用の蓄熱物質である。蓄熱材は、例えば、融点５５℃の酢酸ナトリウム３水和物（ＣＨ３ＣＯＯＮａ・３Ｈ２Ｏ）によって形成されている。この蓄熱材としては、融点が５０℃以上９０℃以下の物質を用いるのが好ましい。また、蓄熱材の融点の温度は、冷媒の凝縮温度より低い。
【００４５】
蓄熱用伝熱管（１５ａ）は銅で形成されている。そして、蓄熱材と蓄熱用伝熱管（１５ａ）を流通する冷媒とが熱交換を行う。
【００４６】
第２給湯用伝熱管（１５ｂ）は銅で形成されている。そして、蓄熱材と第２給湯用伝熱管（１５ｂ）を流通する水道水とが熱交換を行う。
【００４７】
水熱交換器（１３）には、冷媒回路（３）の一部である冷媒用伝熱管（１３ａ）と給湯用回路（５）の一部である第１給湯用伝熱管（１３ｂ）とが設けられている。冷媒用伝熱管（１３ａ）及び第１給湯用伝熱管（１３ｂ）は銅で形成されている。そして、冷媒用伝熱管（１３ａ）を流通する冷媒と第１給湯用伝熱管（１３ｂ）を流通する水道水とが熱交換を行う。
【００４８】
−ヒートポンプ給湯機の運転動作−
本実施形態のヒートポンプ給湯機（１）では、蓄熱ユニット（１５）に温熱を蓄える蓄熱運転と、蓄熱ユニット（１５）に蓄えた温熱及び水熱交換器（１３）の冷媒を利用して給湯を行う給湯運転とが行われる。
【００４９】
《蓄熱運転》
蓄熱運転時には、圧縮機（１１）を動かす。それにより、冷媒回路（３）において冷媒が循環し、冷凍サイクルが行われる。このとき、給水栓は閉じられている。そのため、水道水は給湯用回路（５）を流通しない。また、このとき、冷媒を蓄熱ユニット（１５）に流通させるように、三方弁（１０）は切り換えられている。
【００５０】
具体的には、圧縮機（１１）から吐出された冷媒は蓄熱用伝熱管（１５ａ）へ導入され、蓄熱ユニット（１５）の蓄熱材に対して放熱して凝縮する。この蓄熱材は、冷媒から吸熱して融解し、冷媒から付与された温熱を蓄える。
【００５１】
蓄熱材へ放熱した冷媒は冷媒用伝熱管（１３ａ）を介して膨張弁（７）へ導入され、膨張弁（７）を通過する際に減圧される。
【００５２】
膨張弁（７）を通過した冷媒は室外熱交換器（９）へ導入される。室外熱交換器（９）では、冷媒が室外空気から吸熱して蒸発する。
【００５３】
室外熱交換器（９）で蒸発した冷媒は圧縮機（１１）へ導入される。圧縮機（１１）では、吸入した冷媒を圧縮して吐出する。
【００５４】
以上により、蓄熱ユニット（１５）に、ある程度高温の温熱が蓄えられる。
【００５５】
《給湯運転》
給湯運転時にも圧縮機（１１）を動かす。それにより、冷媒回路（３）において冷凍サイクルが行われる。このとき、給水栓は開かれている。そのため、上水道から圧送された水道水が給湯用回路（５）を流通する。また、このとき、冷媒をバイパス通路（４）に流通させるように、三方弁（１０）は切り換えられている。
【００５６】
具体的には、圧縮機（１１）から吐出された冷媒はバイパス通路（４）を介して冷媒用伝熱管（１３ａ）へ導入され、第１給湯用伝熱管（１３ｂ）の水道水に対して放熱して凝縮する。
【００５７】
その後、冷媒は、蓄熱運転時と同じ経路をたどる。
【００５８】
一方、上水道から給湯用回路（５）へ流入した水道水は第１給湯用伝熱管（１３ｂ）へ導入され、冷媒用伝熱管（１３ａ）の冷媒から吸熱する。
【００５９】
冷媒から吸熱した水道水は第２給湯用伝熱管（１５ｂ）へ導入され、蓄熱ユニット（１５）の蓄熱材から吸熱する。この蓄熱材は第２給湯用伝熱管（１５ｂ）の水道水へ放熱して凝固する。
【００６０】
そして、冷媒と蓄熱材の両方から吸熱した水道水は温水として給水栓へ供給される。
【００６１】
給湯運転終了後、蓄熱運転を再び行う。
【００６２】
以上により、本実施形態によれば、給湯運転時には冷媒をバイパス通路（４）に流通させるため、給湯運転時には冷媒は蓄熱用伝熱管（１５ａ）を流通しない。そのため、給湯運転時には蓄熱用伝熱管（１５ａ）で冷媒が凝縮しないため、蓄熱用伝熱管（１５ａ）において凝縮熱は発生しない。よって、蓄熱ユニット（１５）から水道水への熱の移動が、上記凝縮熱により妨げられることはない。したがって、給湯運転時において、蓄熱ユニット（１５）から水道水への熱の移動を円滑に行うことができ、蓄熱ユニット（１５）の温熱を有効に利用することができる。
【００６３】
また、ヒートポンプ給湯機（１）は給湯運転とともに蓄熱運転を行う。そして、蓄熱運転時には水道水を流通させないため、冷媒回路（３）により蓄熱ユニット（１５）の蓄熱材だけを加熱することができる。その結果、蓄熱ユニット（１５）の蓄熱材に十分な温熱を蓄えることができる。したがって、給湯運転時には、水熱交換器（１３）及び十分な温熱を蓄えた蓄熱ユニット（１５）により水道水を加熱することができ、ヒートポンプの能力以上の給湯を行うことができる。
【００６４】
また、給湯運転時には冷媒回路（３）の冷媒をバイパス通路（４）に流通させるため、給湯運転時には、冷媒回路（３）の冷媒は、ある程度高温の温熱が蓄えられた蓄熱ユニット（１５）を流通しない。そのため、冷媒回路（３）の冷媒の凝縮温度が下がる。したがって、ヒートポンプ給湯機（１）のＣＯＰが向上する。
【００６５】
なお、本実施形態の蓄熱材は酢酸ナトリウム３水和物によって形成されているが、他の潜熱蓄熱材であってもよい。例えば、蓄熱材は、他の水和物、パラフィン、糖アルコール等で形成されてもよい。
【００６６】
（実施形態２）
図２に示すように、本実施形態のヒートポンプ給湯機（１）は、実施形態１のヒートポンプ給湯機（１）の水熱交換器（１３）及び蓄熱ユニット（１５）の配置順が逆になったものである。その他の点に関しては、実施形態１のヒートポンプ給湯機（１）とほぼ同じ構造である。
【００６７】
冷媒回路（３）には、冷媒の循環方向において、膨張弁（７）、室外熱交換器（９）、アキュムレータ（１２）、圧縮機（１１）、水熱交換器（１３）、及び蓄熱ユニット（１５）が順に配置されている。
【００６８】
給湯用回路（５）には、水道水の循環方向において、蓄熱ユニット（１５）、及び水熱交換器（１３）が順に配置されている。
【００６９】
分岐点（６）は冷媒回路（３）における水熱交換器（１３）及び蓄熱ユニット（１５）の間に位置し、合流点（８）は冷媒回路（３）における蓄熱ユニット（１５）及び膨張弁（７）の間に位置する。
【００７０】
−ヒートポンプ給湯機の運転動作−
《蓄熱運転》
本実施形態の蓄熱運転は、実施形態１の蓄熱運転とほぼ同様である。
【００７１】
《給湯運転》
圧縮機（１１）から吐出された冷媒は冷媒用伝熱管（１３ａ）へ導入され、第１給湯用伝熱管（１３ｂ）の水道水に対して放熱して凝縮する。
【００７２】
水熱交換器（１３）から流出した冷媒はバイパス通路（４）を介して膨張弁（７）へ導入される。
【００７３】
一方、上水道から給湯用回路（５）へ流入した水道水は第２給湯用伝熱管（１５ｂ）へ導入され、蓄熱ユニット（１５）の蓄熱材から吸熱する。この蓄熱材は第２給湯用伝熱管（１５ｂ）の水道水へ放熱して凝固する。
【００７４】
蓄熱材から吸熱した水道水は第１給湯用伝熱管（１３ｂ）へ導入され、冷媒用伝熱管（１３ａ）の冷媒から吸熱する。
【００７５】
そして、蓄熱材と冷媒の両方から吸熱した水道水は、温水として給水栓へ供給される。
【００７６】
以上により、本実施形態によれば、実施形態１と同様の効果が得られる。
【００７７】
（実施形態３）
図３に示すように、本実施形態のヒートポンプ給湯機（１）は、実施形態２のヒートポンプ給湯機（１）に水熱交換器（１７）をさらに加えたものである。その他の点に関しては、実施形態２のヒートポンプ給湯機（１）とほぼ同じ構造である。
【００７８】
冷媒回路（３）には、冷媒の循環方向において、膨張弁（７）、室外熱交換器（９）、アキュムレータ（１２）、圧縮機（１１）、第１水熱交換器（１３）、蓄熱ユニット（１５）及び第２水熱交換器（１７）が順に配置されている。
【００７９】
給湯用回路（５）には、水道水の循環方向において、第２水熱交換器（１７）、蓄熱ユニット（１５）、及び第１水熱交換器（１３）が順に配置されている。
【００８０】
分岐点（６）は冷媒回路（３）における第１水熱交換器（１３）及び蓄熱ユニット（１５）の間に位置し、合流点（８）は冷媒回路（３）における蓄熱ユニット（１５）及び第２水熱交換器（１７）の間に位置する。
【００８１】
第２水熱交換器（１７）には、第２冷媒用伝熱管（１７ａ）と、第３給湯用伝熱管（１７ｂ）とが設けられている。なお、本発明に係る第１熱回収熱交換器は第２給湯用伝熱管（１５ｂ）によって構成され、第２熱回収熱交換器は第１給湯用伝熱管（１３ｂ）によって構成され、第３熱回収熱交換器は第３給湯用伝熱管（１７ｂ）によって構成されている。
【００８２】
−ヒートポンプ給湯機の運転動作−
《蓄熱運転》
本実施形態の蓄熱運転は、実施形態１の蓄熱運転とほぼ同様である。
【００８３】
《給湯運転》
圧縮機（１１）から吐出された冷媒は第１冷媒用伝熱管（１３ａ）へ導入され、第１給湯用伝熱管（１３ｂ）の水道水に対して放熱して凝縮する。
【００８４】
水道水へ放熱した冷媒はバイパス通路（４）を介して第２冷媒用伝熱管（１７ａ）へ導入され、第３給湯用伝熱管（１７ｂ）の水道水に対して放熱して過冷却される。
【００８５】
一方、上水道から給湯用回路（５）へ流入した水道水は第３給湯用伝熱管（１７ｂ）へ導入され、第２冷媒用伝熱管（１７ａ）の冷媒から吸熱する。
【００８６】
冷媒から吸熱した水道水は第２給湯用伝熱管（１５ｂ）へ導入され、蓄熱ユニット（１５）の蓄熱材から吸熱する。この蓄熱材は第２給湯用伝熱管（１５ｂ）の水道水へ放熱して凝固する。
【００８７】
蓄熱材から吸熱した水道水は第１給湯用伝熱管（１３ｂ）へ導入され、第１冷媒用伝熱管（１３ａ）の冷媒から吸熱する。
【００８８】
そして、冷媒と蓄熱材の両方から吸熱した水道水は、温水として給水栓へ供給される。
【００８９】
以上により、本実施形態によれば、給湯用回路（５）において、第２水熱交換器（１７）の第３給湯用伝熱管（１７ｂ）が蓄熱ユニット（１５）の第２給湯用伝熱管（１５ｂ）の上流側に設けられているため、給湯運転時において、水道水は第２水熱交換器（１７）、蓄熱ユニット（１５）、第１水熱交換器（１３）の順に加熱される。すなわち、第２水熱交換器（１７）に流入する水道水の温度は、蓄熱ユニット（１５）及び第１水熱交換器（１３）に流入する水道水の温度より低い。そのため、水道水が第２水熱交換器（１７）を流通することにより、第２水熱交換器（１７）を流通する冷媒は過冷却される。したがって、ヒートポンプ給湯機（１）のＣＯＰが向上する。
【００９０】
なお、本実施形態では、ヒートポンプ給湯機（１）が２つの水熱交換器（１３，１７）を備えているが、３以上の水熱交換器を備えていてもよい。
【００９１】
（実施形態４）
図４に示すように、本実施形態のヒートポンプ給湯機（１）は、冷媒回路（３ａ，３ｂ）を２つ備えているものである。その他の点に関しては、実施形態３のヒートポンプ給湯機（１）とほぼ同じ構造である。
【００９２】
高温側冷媒回路（３ａ）には、冷媒の循環方向において、高温側膨張弁（７ａ）、高温側室外熱交換器（９ａ）、高温側アキュムレータ（１２ａ）、高温側圧縮機（１１ａ）、第１高温側水熱交換器（１９）、高温側蓄熱ユニット（２１）、及び第２高温側水熱交換器（２７）が順に配置されている。高温側冷媒回路（３ａ）の冷媒の凝縮温度は、例えば、約６０℃である。
【００９３】
高温側冷媒回路（３ａ）には、高温側蓄熱ユニット（２１）をバイパスする高温側バイパス通路（４ａ）が設けられている。高温側バイパス通路（４ａ）は、高温側冷媒回路（３ａ）における第１高温側水熱交換器（１９）及び高温側蓄熱ユニット（２１）の間に位置する分岐点（６ａ）と、高温側冷媒回路（３ａ）における高温側蓄熱ユニット（２１）及び第２高温側水熱交換器（２７）の間に位置する合流点（８ａ）とに接続されている。この分岐点（６ａ）には三方弁（１０ａ）が設けられている。
【００９４】
低温側冷媒回路（３ｂ）には、冷媒の循環方向において、低温側膨張弁（７ｂ）、低温側室外熱交換器（９ｂ）、低温側アキュムレータ（１２ｂ）、低温側圧縮機（１１ｂ）、第１低温側水熱交換器（２９）、低温側蓄熱ユニット（２３）、及び第２低温側水熱交換器（２５）が順に配置されている。低温側冷媒回路（３ｂ）の冷媒の凝縮温度は、例えば、約３６℃である。  低温側冷媒回路（３ｂ）の冷媒の凝縮温度は、高温側冷媒回路（３ａ）の冷媒の凝縮温度より低く設定されている。
【００９５】
低温側冷媒回路（３ｂ）には、低温側蓄熱ユニット（２３）をバイパスする低温側バイパス通路（４ｂ）が設けられている。低温側バイパス通路（４ｂ）は、低温側冷媒回路（３ｂ）における第１低温側水熱交換器（２９）及び低温側蓄熱ユニット（２３）の間に位置する分岐点（６ｂ）と、低温側冷媒回路（３ｂ）における低温側蓄熱ユニット（２３）及び第２低温側水熱交換器（２５）の間に位置する合流点（８ｂ）とに接続されている。この分岐点（６ｂ）には三方弁（１０ｂ）が設けられている。
【００９６】
給湯用回路（５）には、水道水の循環方向において、第２低温側水熱交換器（２５）、低温側蓄熱ユニット（２３）、第１低温側水熱交換器（２９）、第２高温側水熱交換器（２７）、高温側蓄熱ユニット（２１）、及び第１高温側水熱交換器（１９）が順に配置されている。
【００９７】
高温側水熱交換器（１９）には、高温側冷媒用伝熱管（１９ａ）と、第１高温側給湯用伝熱管（１９ｂ）とが設けられている。
【００９８】
高温側蓄熱ユニット（２１）には、高温側蓄熱用伝熱管（２１ａ）と、第２高温側給湯用伝熱管（２１ｂ）とが設けられている。
【００９９】
高温側蓄熱ユニット（２１）の蓄熱材は、例えば、融点５５℃の酢酸ナトリウム３水和物（ＣＨ３ＣＯＯＮａ・３Ｈ２Ｏ）によって形成されている。この蓄熱材としては、融点が５０℃以上９０℃以下の物質を用いるのが好ましい。
【０１００】
第２高温側水熱交換器（２７）には、第２高温側冷媒用伝熱管（２７ａ）と、第３高温側給湯用伝熱管（２７ｂ）とが設けられている。
【０１０１】
第１低温側水熱交換器（２９）には、第１低温側冷媒用伝熱管（２９ａ）と、第３低温側給湯用伝熱管（２９ｂ）とが設けられている。
【０１０２】
低温側蓄熱ユニット（２３）には、低温側蓄熱用伝熱管（２３ａ）と、第１低温側給湯用伝熱管（２３ｂ）とが設けられている。
【０１０３】
低温側蓄熱ユニット（２１）の蓄熱材は、例えば、融点３１℃の硫酸ナトリウム１０水和物（Ｎａ２ＳＯ４・１０Ｈ２Ｏ）によって形成されている。この蓄熱材としては、融点が２０℃以上４０℃以下の物質を用いるのが好ましい。
【０１０４】
低温側水熱交換器（２５）には、第２低温側冷媒用伝熱管（２５ａ）と、第２低温側給湯用伝熱管（２５ｂ）とが設けられている。
【０１０５】
−ヒートポンプ給湯機の運転動作−
《蓄熱運転》
蓄熱運転時には、高温側及び低温側圧縮機（１１ａ，１１ｂ）を動かす。それにより、高温側及び低温側冷媒回路（３ａ，３ｂ）において冷凍サイクルが行われる。このとき、給水栓は閉じられている。そのため、水道水は給湯用回路（５）を流通しない。また、このとき、各冷媒回路（３ａ，３ｂ）の冷媒を高温側及び低温側蓄熱ユニット（２１，２３）に流通させるように、各三方弁（１０ａ，１０ｂ）は切り換えられている。
【０１０６】
その他の点に関しては、実施形態１の蓄熱運転とほぼ同様である。
【０１０７】
《給湯運転》
蓄熱運転時にも、高温側及び低温側圧縮機（１１ａ，１１ｂ）を動かす。それにより、高温側及び低温側冷媒回路（３ａ，３ｂ）において冷凍サイクルが行われる。このとき、給水栓は開かれている。そのため、上水道から圧送された水道水が給湯用回路（５）を流通する。また、このとき、各冷媒回路（３ａ，３ｂ）の冷媒を高温側及び低温側バイパス通路（４ａ，４ｂ）に流通させるように、各三方弁（１０ａ，１０ｂ）は切り換えられている。
【０１０８】
高温側圧縮機（１１ａ）から吐出された冷媒は第１高温側冷媒用伝熱管（１９ａ）へ導入され、第１高温側給湯用伝熱管（１９ｂ）の水道水に対して放熱して凝縮する。
【０１０９】
水道水へ放熱した冷媒は高温側バイパス通路（４ａ）を介して第２高温側冷媒用伝熱管（２７ａ）へ導入され、第３高温側給湯用伝熱管（２７ｂ）の水道水に対して放熱して過冷却される。
【０１１０】
一方、低温側圧縮機（１１ｂ）から吐出された冷媒は第１低温側冷媒用伝熱管（２９ａ）へ導入され、第３低温側給湯用伝熱管（２９ｂ）の水道水に対して放熱して凝縮する。
【０１１１】
水道水へ放熱した冷媒は低温側バイパス通路（４ｂ）を介して第２低温側冷媒用伝熱管（２５ａ）へ導入され、第２低温側給湯用伝熱管（２５ｂ）の水道水に対して放熱して過冷却される。
【０１１２】
また、上水道から給湯用回路（５）へ流入した水道水は第２低温側給湯用伝熱管（２５ｂ）へ導入され、第２低温側冷媒用伝熱管（２５ａ）の冷媒から吸熱する。
【０１１３】
冷媒から吸熱した水道水は第１低温側給湯用伝熱管（２３ｂ）へ導入され、低温側蓄熱ユニット（２３）の蓄熱材から吸熱する。この蓄熱材は第１低温側給湯用伝熱管（２３ｂ）の水道水へ放熱して凝固する。
【０１１４】
低温側蓄熱ユニット（２３）から吸熱した水道水は第３低温側給湯用伝熱管（２９ｂ）へ導入され、第１低温側冷媒用伝熱管（２９ａ）の冷媒から吸熱する。
【０１１５】
冷媒から吸熱した水道水は第３低温側給湯用伝熱管（２７ｂ）へ導入され、第２高温側冷媒用伝熱管（２７ａ）の冷媒から吸熱する。
【０１１６】
冷媒から吸熱した水道水は第２高温側給湯用伝熱管（２１ｂ）へ導入され、高温側蓄熱ユニット（２１）の蓄熱材から吸熱する。この蓄熱材は第２高温側給湯用伝熱管（２１ｂ）の水道水へ放熱して凝固する。
【０１１７】
高温側蓄熱ユニット（２１）から吸熱した水道水は第１高温側給湯用伝熱管（１９ｂ）へ導入され、第１高温側冷媒用伝熱管（１９ａ）の冷媒から吸熱する。
【０１１８】
そして、冷媒と蓄熱材の両方から吸熱した水道水は、温水として給水栓へ供給される。
【０１１９】
以上により、本実施形態によれば、低温側冷媒回路（３ｂ）の冷媒の凝縮温度が高温側冷媒回路（３ａ）の冷媒の凝縮温度より低く設定されているため、低温側冷媒回路（３ｂ）のＣＯＰが向上する。したがって、ヒートポンプ給湯機（１）全体の平均のＣＯＰはヒートポンプ給湯機が単一の冷媒回路で形成されている場合に比べて高くなる。
【０１２０】
また、ヒートポンプ給湯機（１）が２つの冷媒回路（３ａ，３ｂ）を有しているため、単一の冷媒回路を有しているヒートポンプ給湯機と比較して、立ち上げ時に高温の湯をユーザーに対して迅速に提供することができる。
【０１２１】
なお、本実施形態では、低温側蓄熱ユニット（２３）の蓄熱材の融点が高温側蓄熱ユニット（２１）の蓄熱材の融点より低いものであるが、高温側蓄熱ユニット（２１）の蓄熱材の融点と低温側蓄熱ユニット（２１）の蓄熱材の融点が同じものであってもよい。
【０１２２】
また、本実施形態では、高温側及び低温側冷媒回路（３ａ，３ｂ）の両方に蓄熱ユニット（２１，２３）が設けられているが、少なくとも一方の冷媒回路に蓄熱ユニットが設けられていればよい。このとき、蓄熱ユニットが設けられた冷媒回路には、蓄熱ユニットをバイパスするバイパス通路が設けられる。
【０１２３】
また、本実施形態では、ヒートポンプ給湯機（１）が２つの冷媒回路（３ａ，３ｂ）を備えているが、３以上の冷媒回路を備えていてもよい。
【０１２４】
（実施形態５）
図５に示すように、本実施形態のヒートポンプ給湯機（１）は、低温側冷媒回路（３ｂ）にのみバイパス通路（４ｂ）が設けられたものである。その他の点に関しては、実施形態４のヒートポンプ給湯機（１）とほぼ同じ構造である。
【０１２５】
高温側冷媒回路（３ａ）には、冷媒の循環方向において、高温側膨張弁（７ａ）、高温側室外熱交換器（９ａ）、高温側アキュムレータ（１２ａ）、高温側圧縮機（１１ａ）、高温側水熱交換器（１９）、及び高温側蓄熱ユニット（２１）が順に配置されている。
【０１２６】
低温側冷媒回路（３ｂ）には、冷媒の循環方向において、低温側膨張弁（７ｂ）、低温側室外熱交換器（９ｂ）、低温側アキュムレータ（１２ｂ）、低温側圧縮機（１１ｂ）、低温側蓄熱ユニット（２３）、及び低温側水熱交換器（２５）が順に配置されている。
【０１２７】
低温側冷媒回路（３ｂ）には、低温側蓄熱ユニット（２３）をバイパスする低温側バイパス通路（４ｂ）が設けられている。分岐点（６ｂ）は低温側冷媒回路（３ｂ）における低温側圧縮機（１１ｂ）及び低温側蓄熱ユニット（２３）の間に位置し、合流点（８ｂ）は低温側冷媒回路（３ｂ）における低温側蓄熱ユニット（２３）及び低温側水熱交換器（２５）の間に位置する。
【０１２８】
給湯用回路（５）には、水道水の循環方向において、低温側水熱交換器（２５）、低温側蓄熱ユニット（２３）、高温側蓄熱ユニット（２１）、及び高温側水熱交換器（１９）が順に配置されている。
【０１２９】
高温側水熱交換器（１９）には、高温側冷媒用伝熱管（１９ａ）と、第１高温側給湯用伝熱管（１９ｂ）とが設けられている。
【０１３０】
高温側蓄熱ユニット（２１）には、高温側蓄熱用伝熱管（２１ａ）と、第２高温側給湯用伝熱管（２１ｂ）とが設けられている。
【０１３１】
高温側蓄熱ユニット（２１）の蓄熱材は、例えば、融点５５℃の酢酸ナトリウム３水和物（ＣＨ３ＣＯＯＮａ・３Ｈ２Ｏ）によって形成されている。
【０１３２】
低温側蓄熱ユニット（２３）には、低温側蓄熱用伝熱管（２３ａ）と、第１低温側給湯用伝熱管（２３ｂ）とが設けられている。
【０１３３】
低温側蓄熱ユニット（２１）の蓄熱材は、例えば、融点３１℃の硫酸ナトリウム１０水和物（Ｎａ２ＳＯ４・１０Ｈ２Ｏ）によって形成されている。
【０１３４】
低温側水熱交換器（２５）には、低温側冷媒用伝熱管（２５ａ）と、第２低温側給湯用伝熱管（２５ｂ）とが設けられている。
【０１３５】
−ヒートポンプ給湯機の運転動作−
《蓄熱運転》
蓄熱運転時には、低温側冷媒回路（３ｂ）の冷媒を低温側蓄熱ユニット（２３）に流通させるように、三方弁（１０ｂ）は切り換えられている。
【０１３６】
高温側圧縮機（１１ａ）から吐出された冷媒は高温側冷媒用伝熱管（１９ａ）を介して高温側蓄熱用伝熱管（２１ａ）へ導入され、高温側蓄熱ユニット（２１）の蓄熱材に対して放熱して凝縮する。この蓄熱材は、冷媒から吸熱して融解し、冷媒から付与された温熱を蓄える。
【０１３７】
一方、低温側圧縮機（１１ｂ）から吐出された冷媒は低温側蓄熱用伝熱管（２３ａ）へ導入され、低温側蓄熱ユニット（２３）の蓄熱材に対して放熱して凝縮する。この蓄熱材は、冷媒から吸熱して融解し、冷媒から付与された温熱を蓄える。
【０１３８】
蓄熱材へ放熱した冷媒は低温側冷媒用伝熱管（２５ａ）を介して膨張弁（７）へ導入される。
【０１３９】
以上により、高温側及び低温側蓄熱ユニット（２１，２３）に、温熱が蓄えられる。ただし、高温側蓄熱ユニット（２１）には、低温側蓄熱ユニット（２３）より高温の温熱が蓄えられる。
【０１４０】
《給湯運転》
給湯運転時には、低温側冷媒回路（３ｂ）の冷媒を低温側バイパス通路（４ｂ）に流通させるように、三方弁（１０ｂ）は切り換えられている。
【０１４１】
高温側圧縮機（１１ａ）から吐出された冷媒は高温側冷媒用伝熱管（１９ａ）へ導入され、第１高温側給湯用伝熱管（１９ｂ）の水道水に対して放熱して凝縮する。
【０１４２】
水道水へ放熱した冷媒は高温側蓄熱用伝熱管（２１ａ）へ導入され、高温側蓄熱ユニット（２１）の蓄熱材に対して放熱して凝縮する。このとき、高温側蓄熱ユニット（２１）の蓄熱材には、温熱は蓄えられない。
【０１４３】
一方、低温側圧縮機（１１ｂ）から吐出された冷媒は低温側バイパス通路（４ｂ）を介して低温側冷媒用伝熱管（２５ａ）へ導入され、低温側給湯用伝熱管（２５ｂ）の水道水に対して放熱して凝縮する。
【０１４４】
また、上水道から給湯用回路（５）へ流入した水道水は第２低温側給湯用伝熱管（２５ｂ）へ導入され、低温側冷媒用伝熱管（２５ａ）の冷媒から吸熱する。
【０１４５】
冷媒から吸熱した水道水は第１低温側給湯用伝熱管（２３ｂ）へ導入され、低温側蓄熱ユニット（２３）の蓄熱材から吸熱する。この蓄熱材は第１低温側給湯用伝熱管（２３ｂ）の水道水へ放熱して凝固する。
【０１４６】
低温側蓄熱ユニット（２３）から吸熱した水道水は第２高温側給湯用伝熱管（２１ｂ）へ導入され、高温側蓄熱ユニット（２１）の蓄熱材から吸熱する。この蓄熱材は第２高温側給湯用伝熱管（２１ｂ）の水道水へ放熱して凝固する。
【０１４７】
高温側蓄熱ユニット（２１）から吸熱した水道水は第１高温側給湯用伝熱管（１９ｂ）へ導入され、高温側冷媒用伝熱管（１９ａ）の冷媒から吸熱する。
【０１４８】
そして、冷媒と蓄熱材の両方から吸熱した水道水は、温水として給水栓へ供給される。
【０１４９】
以上により、本実施形態によれば、水道水は第１低温側給湯用伝熱管（２３ｂ）、第２高温側給湯用伝熱管（２１ｂ）の順に流れる。ここで、高温側蓄熱ユニット（２１）の蓄熱材の融点は低温側蓄熱ユニット（２３）の融点より高い。そのため、水道水は、加熱温度が高くなる順に加熱されることになる。したがって、水道水と各蓄熱ユニット（２１，２３）との間の熱交換を効率良く行うことができる。
【０１５０】
なお、本実施形態では、低温側冷媒回路（３ｂ）にのみバイパス通路（４ｂ）が設けられているが、少なくとも一方の冷媒回路に蓄熱ユニットをバイパスするバイパス通路が設けられていればよい。
【０１５１】
また、本実施形態では、ヒートポンプ給湯機（１）が２つの冷媒回路（３ａ，３ｂ）を備えているが、３以上の冷媒回路を備えていてもよい。
【０１５２】
（実施形態６）
本実施形態のヒートポンプ給湯機（１）は、高温側及び低温側蓄熱ユニット（２１，２３）の蓄熱材の融点が同じものである。その他の点に関しては、実施形態５のヒートポンプ給湯機（１）の構造とほぼ同様である。
【０１５３】
高温側蓄熱ユニット（２１）及び低温側蓄熱ユニット（２３）の蓄熱材は、例えば、融点５５℃の酢酸ナトリウム３水和物（ＣＨ３ＣＯＯＮａ・３Ｈ２Ｏ）によって形成されている。この蓄熱材としては、融点が５０℃以上９０℃以下の物質を用いるのが好ましい。
【０１５４】
《蓄熱運転》
蓄熱運転時には、高温側及び低温側冷媒回路（３ｂ）の冷媒の凝縮温度は、例えば、約６０℃である。
【０１５５】
その他の点に関しては、実施形態５の蓄熱運転とほぼ同様である。
【０１５６】
以上により、高温側及び低温側蓄熱ユニット（２１，２３）のそれぞれに、ある程度高温で、且つ、ほぼ同じ温度の温熱が蓄えられる。
【０１５７】
《給湯運転》
本実施形態の給湯運転は、実施形態５の蓄熱運転とほぼ同様である。
【０１５８】
以上により、本実施形態によれば、給湯運転時には低温側冷媒回路（３ｂ）の冷媒を低温側バイパス通路（４ｂ）に流通させるため、給湯運転時には、低温側冷媒回路（３ｂ）の冷媒は、ある程度高温の温熱が蓄えられた低温側蓄熱ユニット（２３）を流通しない。そのため、低温側冷媒回路（３ｂ）の冷媒の凝縮温度が下がる。したがって、ヒートポンプ給湯機（１）のＣＯＰが向上する。
【０１５９】
また、高温側及び低温側蓄熱ユニット（２１，２３）の蓄熱材は共に酢酸ナトリウム３水和物によって形成されているため、高温側及び低温側蓄熱ユニット（２１，２３）のそれぞれにほぼ同じ温度の温熱が蓄えられる。したがって、高温側及び低温側蓄熱ユニット（２１，２３）の蓄熱材がそれぞれ融点の異なるものによって形成されている場合と比較して、ヒートポンプ給湯機（１）全体の水道水に対する熱の伝達が向上する。
【０１６０】
（実施形態７）
図６に示すように、本実施形態のヒートポンプ給湯機（１）は、水回路（５）が途中で分岐したものである。その他の点に関しては、実施形態６のヒートポンプ給湯機（１）の構造とほぼ同様である。
【０１６１】
高温側冷媒回路（３ａ）には、冷媒の循環方向において、高温側膨張弁（７ａ）、高温側室外熱交換器（９ａ）、高温側アキュムレータ（１２ａ）、高温側圧縮機（１１ａ）、第１高温側水熱交換器（１９）、高温側蓄熱ユニット（２１）、及び第２高温側水熱交換器（２７）が順に配置されている。
【０１６２】
低温側冷媒回路（３ｂ）には、冷媒の循環方向において、低温側膨張弁（７ｂ）、低温側室外熱交換器（９ｂ）、低温側アキュムレータ（１２ｂ）、低温側圧縮機（１１ｂ）、低温側蓄熱ユニット（２３）、及び低温側水熱交換器（２５）が順に配置されている。
【０１６３】
低温側冷媒回路（３ｂ）には、低温側蓄熱ユニット（２３）をバイパスする低温側バイパス通路（４ｂ）が設けられている。
【０１６４】
給湯用回路（５）は、第１分岐通路（５ａ）と第２分岐通路（５ｂ）とを有する並列回路を備えている。
【０１６５】
第１及び第２分岐通路（５ａ，５ｂ）は、給湯用回路（５）の低温側水熱交換器（２５）の下流側に位置する分岐点（５ｃ）で分岐している。第１及び第２分岐通路（５ａ，５ｂ）は、給湯用回路（５）の第１高温側水熱交換器（１９）の上流側に位置する合流点（５ｄ）で合流している。
【０１６６】
第１分岐通路（５ａ）には、水道水の循環方向において、第２高温側水熱交換器（２７）、及び高温側蓄熱ユニット（２１）が配置されている。
【０１６７】
第２分岐通路（５ｂ）には、低温側蓄熱ユニット（２３）が配置されている。
【０１６８】
−ヒートポンプ給湯機の運転動作−
《蓄熱運転》
本実施形態の蓄熱運転は、実施形態６の蓄熱運転とほぼ同様である。
【０１６９】
《給湯運転》
高温側圧縮機（１１ａ）から吐出された冷媒は第１高温側冷媒用伝熱管（１９ａ）へ導入され、第１高温側給湯用伝熱管（１９ｂ）の水道水に対して放熱して凝縮する。
【０１７０】
水道水へ放熱した冷媒は高温側蓄熱用伝熱管（２１ａ）へ導入され、高温側蓄熱ユニット（２１）の蓄熱材に対して放熱して凝縮する。このとき、高温側蓄熱ユニット（２１）の蓄熱材には、温熱は蓄えられない。
【０１７１】
高温側蓄熱ユニット（２１）から流出した冷媒は第２高温側冷媒用伝熱管（２７ａ）へ導入され、第３高温側給湯用伝熱管（２７ｂ）の水道水に対して放熱して凝縮する。
【０１７２】
一方、低温側圧縮機（１１ｂ）から吐出された冷媒は低温側バイパス通路（４ｂ）を介して低温側冷媒用伝熱管（２５ａ）へ導入され、低温側給湯用伝熱管（２５ｂ）の水道水に対して放熱して凝縮する。
【０１７３】
また、上水道から給湯用回路（５）へ流入した水道水は第２低温側給湯用伝熱管（２５ｂ）へ導入され、第２低温側冷媒用伝熱管（２５ａ）の冷媒から吸熱する。
【０１７４】
冷媒から吸熱した水道水は分岐点（５ｃ）で分岐し、第３高温側給湯用伝熱管（２７ｂ）及び第１低温側給湯用伝熱管（２３ｂ）へ導入される。
【０１７５】
第３高温側給湯用伝熱管（２７ｂ）に導入された水道水は第２高温側冷媒用伝熱管（２７ａ）の冷媒から吸熱する。
【０１７６】
冷媒から吸熱した水道水は第２高温側給湯用伝熱管（２１ｂ）へ導入され、高温側蓄熱ユニット（２１）の蓄熱材から吸熱する。この蓄熱材は第２高温側給湯用伝熱管（２１ｂ）の水道水へ放熱して凝固する。
【０１７７】
一方、第１低温側給湯用伝熱管（２３ｂ）へ導入された水道水は低温側蓄熱ユニット（２３）の蓄熱材から吸熱する。この蓄熱材は第１低温側給湯用伝熱管（２３ｂ）の水道水へ放熱して凝固する。
【０１７８】
高温側及び低温側蓄熱ユニット（２１，２３）から吸熱した各水道水は合流点（５ｄ）で合流する。
【０１７９】
合流した水道水は第１高温側給湯用伝熱管（１９ｂ）へ導入され、第１高温側冷媒用伝熱管（１９ａ）の冷媒から吸熱する。
【０１８０】
そして、冷媒と蓄熱材の両方から吸熱した水道水は、温水として給水栓へ供給される。
【０１８１】
以上により、本実施形態によれば、給湯用回路（５）が第１及び第２分岐通路（５ａ，５ｂ）とに分岐しているため、第２高温側給湯用及び第１低温側給湯用伝熱管（２１ｂ，２３ｂ）のそれぞれに流通する水道水の量は、給湯用回路（５）の本流に流通する水道水の量より小さくなる。そのため、高温側及び低温側蓄熱ユニット（２１，２３）の蓄熱材から第２高温側給湯用及び第１低温側給湯用伝熱管（２１ｂ，２３ｂ）に流通する水道水への熱の移動量が大きくなる。したがって、給湯運転時において、各蓄熱ユニット（２１，２３）から水道水への熱の移動を更に円滑に行うことができる。
【０１８２】
なお、本実施形態では、第１分岐通路（５ａ）に第２高温側水熱交換器（２７）、及び高温側蓄熱ユニット（２１）が配置され、第２分岐通路（５ｂ）に低温側蓄熱ユニット（２３）が配置されているが、第１分岐通路（５ａ）には少なくとも高温側蓄熱ユニット（２１）が配置され、第２分岐通路（５ｂ）には少なくとも低温側蓄熱ユニット（２３）が配置されていればよい。
【０１８３】
また、本実施形態では、高温側及び低温側蓄熱ユニット（２１，２３）の蓄熱材のそれぞれが同じ融点のもので形成されているが、異なる融点のもので形成されてもよい。
【０１８４】
【発明の効果】
請求項１の発明によれば、給湯運転時には冷媒をバイパス通路に流通させるため、給湯運転時には冷媒は加熱熱交換器を流通しない。そのため、給湯運転時には加熱熱交換器で冷媒が凝縮しないため、加熱熱交換器において凝縮熱は発生しない。よって、蓄熱手段から水への熱の移動が、上記凝縮熱により妨げられることはない。したがって、給湯運転時において、蓄熱手段から水への熱の移動を円滑に行うことができ、蓄熱手段の温熱を有効に利用することができる。
【０１８５】
請求項２の発明によれば、水回路において、上流側から第２凝縮器の第３熱回収熱交換器、蓄熱手段の第１熱回収熱交換器、及び第１凝縮器の第２熱回収熱交換器の順に設けられているため、給湯運転時において、水は第２凝縮器、蓄熱手段、第１凝縮器の順に加熱される。すなわち、第２凝縮器に流入する水の温度は、蓄熱手段及び第１凝縮器に流入する水の温度より低い。そのため、水が第２凝縮器を流通することにより、第２凝縮器を流通する冷媒は過冷却される。したがって、ヒートポンプ給湯機のＣＯＰが向上する。
【０１８６】
請求項３の発明によれば、給湯運転時には冷媒をバイパス通路に流通させるため、給湯運転時には冷媒は加熱熱交換器を流通しない。そのため、給湯運転時には加熱熱交換器で冷媒が凝縮しないため、加熱熱交換器において凝縮熱は発生しない。よって、蓄熱手段から水への熱の移動が、上記凝縮熱により妨げられることはない。したがって、給湯運転時において、蓄熱手段から水への熱の移動を円滑に行うことができ、蓄熱手段の温熱を有効に利用することができる。
【０１８７】
また、ヒートポンプ給湯器が第１及び第２冷媒回路を有しているため、単一の冷媒回路を有しているヒートポンプ給湯機と比較して、立ち上げ時に高温の湯をユーザーに対して迅速に提供することができる。
【０１８８】
請求項４の発明によれば、第２冷媒回路の冷媒の凝縮温度が第１冷媒回路の冷媒の凝縮温度より低く設定されているため、第２冷媒回路のＣＯＰが向上する。したがって、ヒートポンプ給湯機全体の平均のＣＯＰはヒートポンプ給湯機が単一の冷媒回路で形成されている場合に比べて高くなる。
【０１８９】
請求項５の発明によれば、給湯運転時には冷媒をバイパス通路に流通させるため、給湯運転時には、バイパス通路が設けられた冷媒回路の冷媒は加熱熱交換器を流通しない。そのため、給湯運転時には加熱熱交換器で冷媒が凝縮しないため、加熱熱交換器において凝縮熱は発生しない。よって、蓄熱手段から水への熱の移動が、上記凝縮熱により妨げられることはない。したがって、給湯運転時において、蓄熱手段から水への熱の移動を円滑に行うことができ、蓄熱手段の温熱を有効に利用することができる。
【０１９０】
また、第２冷媒回路の冷媒の凝縮温度が第１冷媒回路の冷媒の凝縮温度より低く設定されているため、第２冷媒回路のＣＯＰが向上する。したがって、ヒートポンプ給湯機全体の平均のＣＯＰはヒートポンプ給湯機が単一の冷媒回路で形成されている場合に比べて高くなる。
【０１９１】
請求項６の発明によれば、水は第２熱回収熱交換器、第１熱回収熱交換器の順に流れる。ここで、第１蓄熱手段の第１潜熱蓄熱材の融点は、第２蓄熱手段の第２潜熱蓄熱材の融点より高い。そのため、水は、加熱温度が高くなる順に加熱されることになる。したがって、水と各蓄熱手段との間の熱交換を効率良く行うことができる。
【０１９２】
請求項７の発明によれば、給湯運転時には冷媒をバイパス通路に流通させるため、給湯運転時には、バイパス通路が設けられた冷媒回路の冷媒は加熱熱交換器を流通しない。そのため、給湯運転時には加熱熱交換器で冷媒が凝縮しないため、加熱熱交換器において凝縮熱は発生しない。よって、蓄熱手段から水への熱の移動が、上記凝縮熱により妨げられることはない。したがって、給湯運転時において、蓄熱手段から水への熱の移動を円滑に行うことができ、蓄熱手段の温熱を有効に利用することができる。
【０１９３】
また、給湯運転時には冷媒をバイパス通路に流通させるため、給湯運転時には、バイパス通路が設けられた冷媒回路の冷媒は、ある程度高温の温熱が蓄えられた蓄熱手段を流通しない。そのため、バイパス通路が設けられた冷媒回路の冷媒の凝縮温度が下がる。したがって、ヒートポンプ給湯機のＣＯＰが向上する。
【０１９４】
請求項８の発明によれば、水回路が第１分岐通路と第２分岐通路とに分岐しているため、第１及び第２熱回収熱交換器のそれぞれに流通する水の量は、水回路に流通する水の量より小さくなる。そのため、第１及び第２蓄熱手段から第１及び第２熱回収熱交換器に流通する水への熱の移動量が大きくなる。したがって、給湯運転時において、蓄熱手段から水への熱の移動を更に円滑に行うことができる。
【図面の簡単な説明】
【図１】実施形態に係るヒートポンプ給湯機の回路図である。
【図２】実施形態に係るヒートポンプ給湯機の回路図である。
【図３】実施形態に係るヒートポンプ給湯機の回路図である。
【図４】実施形態に係るヒートポンプ給湯機の回路図である。
【図５】実施形態に係るヒートポンプ給湯機の回路図である。
【図６】実施形態に係るヒートポンプ給湯機の回路図である。
【符号の説明】
（１）    ヒートポンプ給湯機
（３）    冷媒回路
（５）    給湯用回路（水回路）
（７）    膨張弁（膨張機構）
（９）    室外熱交換器（蒸発器）
（１１）  圧縮機
（１３）  水熱交換器（凝縮器）
（１５）  蓄熱ユニット（蓄熱手段）
【図１】
2004239507.tif 000003
【図２】
2004239507.tif 000004
【図３】
2004239507.tif 000005
【図４】
2004239507.tif 000006
【図５】
2004239507.tif 000007
【図６】
2004239507.tif 000008